(57)【要約】【課題】本発明はガス、石油等を燃料とするバーナを加熱源とするガスコンロの操作部に関するもので、天板に操作部を設けた場合でも天板が高温にならない安全なガスコンロを提供することを課題とする。【解決手段】コンロ本体と、前記コンロ本体の上部を覆う天板１１と、前記コンロ本体内に設け、前記天板上に臨むバーナ１２と、前記コンロ本体内に設け、前記バーナ１２へのガスの供給およびその供給量を制御するガス制御装置１３と、前記天板上に前記ガス制御装置１３を操作する操作部１４を備え、前記操作部１４の周囲バーナ側の天板裏面にガス配管１７を接触させ配したことにより、ガス配管１７内を流れるガスにより天板１１が冷却され、天板１１が高温にならない安全なガスコンロが得られる。【選択図】図１
2005164086.tif 000002
【特許請求の範囲】
【請求項１】
コンロ本体と、前記コンロ本体の上部を覆う天板と、前記天板上に臨むバーナと、前記バーナへのガスの供給およびその供給量を制御するガス制御装置と、前記天板上に前記ガス制御装置を操作する操作部とを備え、前記操作部は前記天板上に設け、前記操作部を設けた部分の近傍の天板裏面の少なくともバーナ側にバーナへガスを供給するガス配管を配したガスコンロ。
【請求項２】
前記ガス配管は１次側配管とした請求項１に記載のガスコンロ。
【請求項３】
前記ガス配管の天板に接触する部分はアルミにより形成させた、請求項１または２に記載のガスコンロ。
【請求項４】
前記ガス配管の天板に接触する部分の内部にフィンを備えた請求項１〜３のいずれか１項に記載のガスコンロ。
【請求項５】
前記ガス配管の天板に接触する部分に、シリコンコンパウンドを塗布した、請求項１〜４のいずれか１項に記載のガスコンロ。
【発明の詳細な説明】
【技術分野】
【０００１】
本発明は、キッチンカウンターに組み込んで使用する組み込み式ガスコンロ、ガス置き台に載せて使用するガステーブル等のガスコンロに関し、特に操作部の構成に係るものである。
【背景技術】
【０００２】
従来、ガスコンロは一般に加熱手段となるバーナの点火・消火および火力調節は、コンロ本体の前面に設けられた操作部で行っていたが、最近では操作部をコンロ本体の天板上に設けるような構成もある（例えば、特許文献１参照）。このような構成において、図３に示すように、天板１上に配設したバーナ２の手前側にガス制御装置３を操作するツマミ４が配設されている。
【特許文献１】特開２００２−８９８５４号公報
【発明の開示】
【発明が解決しようとする課題】
【０００３】
しかしながら上記従来ガスコンロの場合、ツマミ４はバーナ３の火炎の熱の影響を受けやすいので、遮熱板５を設けている。しかしながら上記従来の構成では、図４のように火炎の輻射熱は防げるが、天板からの伝導熱は防ぐことはできず、ツマミ４を操作する際に、不意に手が高温になった天板Ａに触れかねないという課題があった。
【０００４】
本発明は、上記従来の課題を解決するもので、天板上に操作部を配しても、バーナからの伝導熱を抑え、操作時に誤って操作部近傍の天板に触れてもやけどをしない安全なガスコンロを提供することを目的とする。
【課題を解決するための手段】
【０００５】
本発明は上記の目的を達成するために、本発明のガスコンロは、コンロ本体と、前記コンロ本体の上部を覆う天板と、前記天板上に臨むバーナと、前記バーナへのガスの供給およびその供給量を制御するガス制御装置と、前記天板上に前記ガス制御装置を操作する操作部とを備え、前記操作部は前記天板上に設け、前記操作部を設けた部分の近傍の天板裏面の少なくともバーナ側にバーナへガスを供給するガス配管を配した。
【０００６】
上記の発明によれば、バーナが燃焼して天板に伝熱しても、天板裏面に接触して配設されたガス配管内を流れるガスにより、天板への伝熱を抑制して操作部や操作部周辺にまで、伝熱することもなく、天板表面の温度の上昇がない。このような構成にすると、特に天板の操作部周辺を冷却する特殊な構成を追加する必要もなく、本体内部の配管の配置を変更するのみで、天板の冷却が可能となり、簡易で安価に実現が可能である。
【発明の効果】
【０００７】
以上のように本発明によれば、バーナ燃焼時に配管内を流れるガスにより天板を冷却するので、天板の伝導熱による温度上昇を防止することができて、操作の際に天板に触れても天板が高温にならず安全に調理できるガスコンロを提供することができる。
【発明を実施するための最良の形態】
【０００８】
第１の発明は、コンロ本体と、前記コンロ本体の上部を覆う天板と、前記天板上に臨むバーナと、前記バーナへのガスの供給およびその供給量を制御するガス制御装置と、前記天板上に前記ガス制御装置を操作する操作部とを備え、前記操作部は前記天板上に設け、前記操作部を設けた部分の近傍の天板裏面の少なくともバーナ側にバーナへガスを供給するガス配管を配したものである。
【０００９】
これによりバーナが燃焼すると天板裏面に接触して配された配管内を流れるガスにより天板が冷却され伝導熱を防ぐことができる。
【００１０】
第２の発明は、第１の発明におけるガス配管は１次側配管としたガスコンロである。
【００１１】
これによりどのバーナが燃焼しても操作部近傍の天板を冷却することができる。
【００１２】
第３の発明は、第１または第２の発明におけるガス配管の天板に接触する部分はアルミにより形成させたものである。
【００１３】
これによりアルミは熱伝導率が高いので効率良いので、操作部近傍の天板を効率よく冷却することができる。
【００１４】
第４の発明は、第１〜第３の発明において、ガス配管の天板に接触する部分の内部にフィンを備えたものである。
【００１５】
これにより配管内を流れるガスに接触する配管内面の面積が増加し効率良く操作部近傍の天板を冷却することができる。
【００１６】
第５の発明は、第１〜第４の発明において、ガス配管の天板に接触する部分に、シリコンコンパウンドを塗布したものである。
【００１７】
これにより配管と天板裏面との密着が高まり天板の熱は効率良く配管に伝達され操作部近傍の天板を冷却することができる。
【００１８】
以下に、本願発明の実施の形態の詳細を、図１〜図３を参照して説明し本発明を実施するための最良の形態の説明とする。なお、この実施の形態によって本発明が限定されるものではない。
【００１９】
（実施の形態１）
本発明の実施の形態１について図１を参照して説明する。図１は、本実の形態１のガスコンロの上面図である。図１において、天板１１には、ガスを燃料とするバーナ１２が配設されている。また天板下部のコンロ本体内部にはバーナ１２へのガスの開閉およびガス量を制御するガス制御装置１３が配設され、ガス制御装置１３を操作するツマミ１４（操作部）が天板上に配設されている。バーナ１２とツマミ１４の間には、バーナ１２からの輻射熱を遮る遮熱板１５が付設されている。
【００２０】
ガス制御装置１３から出たガスはパイプ１６を通してバーナ１２へ供給される。一方、ガス制御装置１３には屋内配管からつながる配管１７が接続されているが、配管１７はツマミ１４よりバーナ側で、かつ図２のように天板１１の裏面に接触して配設されている。また天板１１の裏面と配管１７（ガス配管）の接触部分にはシリコンコンパウンド１９が塗布され接触面積を少なくしている。
【００２１】
一方配管１７はアルミで構成されているとともに、内部にはガス流路方向と平行に複数のフィン１８ａ、１８ｂが形成されている。
【００２２】
以上のように構成されたガスコンロにおいて、以下その動作、作用について説明する。
【００２３】
まず、ツマミ１４を操作していずれかのバーナに点火すると、バーナへ供給されるガスがバーナとツマミ１４との間でかつ天板１１の裏面に接触して配設された配管１７の内部を流れる。バーナの燃焼による輻射熱は遮熱板１５により遮熱され、天板１１を介した伝導熱は配管１７の内部を流れるガスにより冷却され、ツマミ１４近傍の天板表面の温度上昇を防ぐことができる。
【００２４】
配管１７は一次配管であるため、どのバーナを燃焼させても必ず配管１７内をガスが流れるので確実に天板１１を冷却することができる。
【００２５】
また、配管１７は熱伝導率の大きいアルミ製であり、内部には複数のフィン１８ａ、１８ｂが形成されているので、天板１１の熱を配管１６内を流れるガスに素早く伝達することができ、効果的に天板１１を冷却できる。なお、本実施の形態ではフィンの形状は図２のように構成したが、同様の効果を奏するほかの形状や構成でのフィンにしてもよい。
【００２６】
更に天板１１の裏面と配管１７の接触部分にはシリコンコンパウンド１９が塗布され接触面積を稼いでいるので、伝熱抵抗を減少させることができ、効率良く天板１１を冷却することができる。
【００２７】
なお、ガス制御装置１３は、ガスの流量制御を電子式に行うものでもよく、操作部は本実施例ではツマミ１４としたが、タッチパネル式の電子式の構成としてもよい。本発明は、天板冷却が可能なので、タッチパネル式にはより都合がよく、操作部とともに、操作部の電子制御を行う部分の冷却も可能な構成とすることができる。また、このような天板冷却構成が可能なので、遮熱板１５の構成をなくしたり、さらに簡易な構成としたりすることもできる。
【産業上の利用可能性】
【００２８】
以上のように、本発明にかかるガスコンロは、配管内を流れるガスにより天板を冷却するので、天板の伝導熱による温度上昇を防止することができ、ガスコンロの構成として有用である。
【図面の簡単な説明】
【００２９】
【図１】本発明の実施の形態１のガスコンロの上面図
【図２】本発明の実施の形態１のガスコンロの断面図
【図３】従来例のガスコンロの上面斜視図
【図４】従来例のガスコンロの断面図
【符号の説明】
【００３０】
１１  天板
１２  バーナ
１３  ガス制御装置
１４  ツマミ（操作部）
１７  配管（ガス配管）
１８ａ、１８ｂ  フィン
１９  シリコンコンパウンド
【図１】
2005164086.tif 000003
【図２】
2005164086.tif 000004
【図３】
2005164086.tif 000005
【図４】
2005164086.tif 000006